(57)【特許請求の範囲】
【請求項１】
相手側コネクタが嵌合する嵌合穴を備えた基板用コネクタを、配線基板の表面に前記嵌合穴を対向させた状態で前記配線基板に装着し、前記嵌合穴に対応して形成する前記配線基板のコネクタ挿入口を、分割部にて複数に分割するとともに、この分割した複数のコネクタ挿入口に対応して前記相手側コネクタの前記嵌合穴内に挿入される嵌合部を、前記分割部が入り込む溝部にて複数に分割して構成したことを特徴とする基板用コネクタの接続構造。
【請求項２】
複数のコネクタ挿入口は、互いに開口面積が異なり、相手側コネクタの各嵌合部は、この相互に異なる開口面積の各コネクタ挿入口に整合するよう形成されていることを特徴とする請求項１記載の基板用コネクタの接続構造。
【請求項３】
基板用コネクタのハウジング内には、相手側コネクタの雌端子と嵌合する雄端子が複数収容され、この各雄端子は、前記ハウジング外部に引き出されて、この引出端部が前記配線基板側に向けて屈曲して配線基板の導電部に電気的に接続され、前記配線基板におけるコネクタ挿入口を複数に分割する分割部は、前記複数の雄端子相互間に位置していることを特徴とする請求項１または２記載の基板用コネクタの接続構造。
【請求項４】
雄端子は、基板用コネクタの長手方向に沿って二列に配置され、この二列の雄端子相互間に分割部が位置していることを特徴とする請求項３記載の基板用コネクタの接続構造。
【発明の詳細な説明】
【０００１】
【発明の属する技術分野】
この発明は、配線基板に装着された基板用コネクタに相手側コネクタが嵌合する基板用コネクタの接続構造に関する。
【０００２】
【従来の技術】
図５は、基板用コネクタ１の一例を示す斜視図で、図６は、この基板用コネクタ１が配線基板３に装着された状態を示す断面図である。基板用コネクタ１のハウジング５には、相手側コネクタ７が嵌合する嵌合穴５ａが形成され、この嵌合穴５ａには複数の雄端子９が収容されている。雄端子９は、ハウジング５の底部５ｂを貫通して外部に引き出され、この引出端部９ａが、嵌合穴５ａの開口側に突出して配線基板３上の導電部に半田１１により固定されている。
【０００３】
上記した基板用コネクタ１は、図６に示す状態で、相手側コネクタ７が、配線基板３に対して基板用コネクタ１と反対側から、配線基板３に形成したコネクタ挿入孔３ａを通して嵌合穴５ａに嵌合される。
【０００４】
【発明が解決しようとする課題】
ところで、上記した従来の基板用コネクタの接続構造においては、相手側コネクタ７が基板用コネクタ１に対して傾いた状態で無理に嵌合させてしまう、いわゆるこじりが発生する恐れがある。これを避けるためには、例えばハウジング５のフード長Ｈを長くしたり、図７に示すように、基板用コネクタ１のハウジング５の内部に、相手側コネクタに形成した溝に嵌合するリブ５ｄや、相手側コネクタに形成したリブに嵌合する溝５ｅを設けるなどの方法がある。
【０００５】
しかしながら、フード長Ｈを長くすると、基板用コネクタおよび相手側コネクタが大型化し、その分材料費が余計に掛かってコストアップを招く。また、リブ５ｄや溝５ｅを設けた場合には、その分材料費が余計に掛かかる上、ハウジング５自体が樹脂のため、柔らかく、強い力でこじると、リブ５ｄが、図８にて二点鎖線に示すように変形する恐れがあり（溝５ｅに嵌合する相手側コネクタのリブも同様）、好ましくない。
【０００６】
そこで、この発明は、コネクタの大型化を招くことなく、またリブを設けることなく、コネクタ嵌合時のこじりを防止することを目的としている。
【０００７】
【課題を解決するための手段】
前記目的を達成するために、請求項１の発明は、相手側コネクタが嵌合する嵌合穴を備えた基板用コネクタを、配線基板の表面に前記嵌合穴を対向させた状態で前記配線基板に装着し、前記嵌合穴に対応して形成する前記配線基板のコネクタ挿入口を、分割部にて複数に分割するとともに、この分割した複数のコネクタ挿入口に対応して前記相手側コネクタの前記嵌合穴内に挿入される嵌合部を、前記分割部が入り込む溝部にて複数に分割して構成した。
【０００８】
このような構成の基板用コネクタの接続構造によれば、相手側コネクタは、溝部にて分割された各嵌合部が、これに対応して分割部にて分割された配線基板の各コネクタ挿入孔を通して基板用コネクタの嵌合穴に嵌合される。
【０００９】
請求項２の発明は、請求項１の発明の構成において、複数のコネクタ挿入口は、互いに開口面積が異なり、相手側コネクタの各嵌合部は、この相互に異なる開口面積の各コネクタ挿入口に整合するよう形成されている。
【００１０】
上記構成によれば、相手側コネクタの複数に分割した各嵌合部が、これに対応する開口面積の各コネクタ挿入口に整合した状態でコネクタ相互の嵌合が可能となる。
【００１１】
請求項３の発明は、請求項１または２の発明の構成において、基板用コネクタのハウジング内には、相手側コネクタの雌端子と嵌合する雄端子が複数収容され、この各雄端子は、前記ハウジング外部に引き出されて、この引出端部が前記配線基板側に向けて屈曲して配線基板の導電部に電気的に接続され、前記配線基板におけるコネクタ挿入口を複数に分割する分割部は、前記複数の雄端子相互間に位置している。
【００１２】
上記構成によれば、基板用コネクタに相手側コネクタを嵌合する際に、基板用コネクタにおける雄端子相互間に位置する分割部にて分割されたコネクタ挿入口に、相手側コネクタの各嵌合部が挿入される。
【００１３】
請求項４の発明は、請求項３の発明の構成において、雄端子は、基板用コネクタの長手方向に沿って二列に配置され、この二列の雄端子相互間に分割部が位置している。
【００１４】
上記構成によれば、基板用コネクタに相手側コネクタを嵌合する際に、基板用コネクタにおける二列の雄端子相互間に位置する分割部にて分割されたコネクタ挿入口に、相手側コネクタの各嵌合部が挿入される。
【００１５】
【発明の実施の形態】
以下、この発明の実施の形態を図面に基づき説明する。
【００１６】
図１は、この発明の実施の一形態を示す基板用コネクタの接続構造の分解斜視図、図２は基板用コネクタ１３を配線基板１５に装着した状態を示す斜視図、図３は、図２の状態の基板用コネクタ１３に配線基板１５を通して相手側コネクタ１７を嵌合させた状態を示す断面図である。なお、ここでの配線基板１５は、基板用コネクタ１３のハウジング１９を構成する樹脂材（例えば、ＰＢＴ）に比べて固い材料（例えば、ＦＲ−４）で構成されるものとする。
【００１７】
基板用コネクタ１３は、前記図５に示したものと同様に、ハウジング１９に、相手側コネクタ１７が嵌合する嵌合穴１９ａが形成され、この嵌合穴１９ａには複数の雄端子２１が収容されている。複数の雄端子２１は、基板用コネクタ１３の長手方向に沿って４本ずつのものが二列に配置されている。二列の雄端子２１は、ハウジング１９の底部１９ｂを貫通して外部に引き出された後、互いにハウジング１９の反対側の側方に引き出され、この引出端部２１ａが嵌合穴１９ａの開口側に延長されて配線基板１５の端子挿入孔１５ａに挿入され、配線基板１５上の導電部２３に半田２５により固定される。
【００１８】
配線基板１５は、基板用コネクタ１３における嵌合穴１９ａ内の二列の雄端子２１相互を分割するように、分割部１５ｂにて二つに分割された長方形状のコネクタ挿入口１５ｃ，１５ｄを備えている。
【００１９】
相手側コネクタ１７は、上記二つのコネクタ挿入口１５ｃ，１５ｄに対応してハウジング２７の基板用コネクタ１３への嵌合側先端が、溝部２７ａを境にして二つに分割されて、一対の嵌合部２７ｂ，２７ｃを形成している。この嵌合部２７ｂ，２７ｃ内には、基板用コネクタ１３の雄端子２１と一端が導通し、他端が電線２９に導通する雌端子３１（図３参照）が内蔵されている。
【００２０】
上記した基板用コネクタの接続構造によれば、図２に示すような配線基板１５に装着された基板用コネクタ１３に、相手側コネクタ１７を嵌合する際には、相手側コネクタ１７の溝部２７ａを配線基板１５の分割部１５ｂに整合させつつ、二つの嵌合部２７ｂ，２７ｃを、対応するコネクタ挿入口１５ｃ，１５ｄにそれぞれ挿入して押し込むことで、図３に示す嵌合状態となる。これにより、相手側コネクタ１７に内蔵された雌端子３１が、基板用コネクタ１３の雄端子２１に接触して電気的な導通が図られる。
【００２１】
ここで、配線基板１５の各コネクタ挿入口１５ｃ，１５ｄが、分割部１５ｂにより二つに分割されていて、分割部１５ｂを設けていない従来のものに比べて開口面積が小さくなっており、かつ分割部１５ｂが、従来のリブ（図８のリブ５ｄ）の役目を果たす上、ハウジング１９，２７の材料に比べて固い材料で構成されているので、変形しにくく、相手側コネクタ１７を基板用コネクタ１３に対して傾いた状態で無理に嵌合させてしまう、こじりが発生しにくくなる。
【００２２】
その結果、基板用コネクタ１３のフード長を長くしたり、基板用コネクタ１３にリブを設けるなどの対策が不要となり、コネクタの大型化および材料費の上昇が抑制されて、コストアップを招くことなくこじり防止が達成される。
【００２３】
図４は、この発明の他の実施の形態に係わる基板用コネクタの接続構造を示す斜視図である。この実施の形態は、配線基板１５の一方のコネクタ挿入口１５ｃを他方のコネクタ挿入口１５ｄより開口面積を小さく形成している。具体的には、ハウジング１９の長手方向の長さを短く形成している。これに対応して相手側コネクタ１７も、一方の嵌合部２７ｂを他方の嵌合部２７ｃより小さくしてある。
【００２４】
上記図４の実施の形態によれば、コネクタ挿入口１５ｃ，１５ｄ相互の開口面積を異ならせることで、基板用コネクタ１３に対する相手側コネクタ１７の挿入向きを誤ることがなくなり、より信頼性の高い基板用コネクタの接続構造となる。
【００２５】
なお、上記各実施の形態では、分割部１５ｂを、基板用コネクタ１３の長手方向に延長されるものとしているが、これと直交する方向に延長する構成としてコネクタ挿入口を二つに分割してもよい。また、配線基板１５におけるコネクタ挿入口は、二つに限らず三つあるいは四つなどさらに多数に分割してもよい。これらに対応して相手側コネクタ１７のハウジング２７も、多数のコネクタ挿入口に対応して多数に分割することは言うまでもない。
【００２６】
【発明の効果】
以上説明してきたように、請求項１の発明によれば、相手側コネクタが挿入される配線基板のコネクタ挿入口を、分割部にて複数に分割するとともに、この分割した複数のコネクタ挿入口に対応して相手側コネクタの嵌合穴内に挿入される嵌合部を、分割部が入り込む溝部にて複数に分割して構成したため、コネクタ挿入口の開口面積が小さくなって、相手側コネクタが基板用コネクタに対して傾いた状態で無理に嵌合させてしまう、いわゆるこじりの発生を、基板用コネクタにおいてフード長を長くしたり、リブを設けるなどの対策を行うことなく、防止することができる。
【００２７】
請求項２の発明によれば、複数のコネクタ挿入口は、互いに開口面積が異なり、相手側コネクタは、この相互に異なる開口面積の各コネクタ挿入口に、溝部にて分割した各嵌合部が整合するよう形成されているため、相手側コネクタの基板用コネクタへの挿入方向が特定でき、誤挿入を防止することができる。
【００２８】
請求項３の発明によれば、相手側コネクタの基板用コネクタへの嵌合作業時に、基板用コネクタの雄端子相互間に位置する分割部にて分割されたコネクタ挿入口に、相手側コネクタの各嵌合部を挿入することで、こじりの発生を防止することができる。
【００２９】
請求項４の発明によれば、相手側コネクタの基板用コネクタへの嵌合作業時に、基板用コネクタの二列の雄端子相互間に位置する分割部にて分割されたコネクタ挿入口に、相手側コネクタの各嵌合部を挿入することで、こじりの発生を防止することができる。
【図面の簡単な説明】
【図１】この発明の実施の一形態に係わる基板用コネクタの接続構造の分解斜視図である。
【図２】図１の基板用コネクタの接続構造において、基板用コネクタを配線基板に装着した状態を示す斜視図である。
【図３】図２の状態の基板用コネクタに、配線基板を通して相手側コネクタを嵌合させた状態を示す断面図である。
【図４】この発明の他の実施の形態を示す基板用コネクタの接続構造の斜視図である。
【図５】従来例を示す基板用コネクタの一例を示す斜視図である。
【図６】図５の基板用コネクタが配線基板に装着された状態を示す断面図である。
【図７】図５の基板用コネクタに対し、リブや溝を設けた従来の基板用コネクタの斜視図である。
【図８】図７の基板用コネクタにおけるリブの変形状態を示す断面図である。
【符号の説明】
１３  基板用コネクタ
１５  配線基板
１５ｂ  分割部
１５ｃ，１５ｄ  コネクタ挿入口
１７  相手側コネクタ
１９  基板用コネクタのハウジング
１９ａ  嵌合穴
２１  雄端子
２１ａ  引出端部
２３  導電部
２７  相手側コネクタのハウジング
２７ａ  溝部
３１  雌端子
【図１】
0003754235.tif 000002
【図２】
0003754235.tif 000003
【図３】
0003754235.tif 000004
【図４】
0003754235.tif 000005
【図５】
0003754235.tif 000006
【図６】
0003754235.tif 000007
【図７】
0003754235.tif 000008
【図８】
0003754235.tif 000009